(57)【要約】【課題】別個の膨張機構を用いることなく、給湯熱交換器と暖房熱交換器の双方を凝縮器として利用可能なヒートポンプ装置を提供する。【解決手段】本明細書は、圧縮機と、凝縮器と、膨張機構と、蒸発器を備えており、冷媒を圧縮機、凝縮器、膨張機構、蒸発器の順で循環させるヒートポンプ装置を開示する。そのヒートポンプ装置では、凝縮器が、冷媒を給湯用熱媒と熱交換させる給湯熱交換器と、給湯熱交換器より下流で冷媒を暖房用熱媒と熱交換させる暖房熱交換器を備えている。【選択図】図１
2015068577.tif 000002
【特許請求の範囲】
【請求項１】
圧縮機と、凝縮器と、膨張機構と、蒸発器を備えており、冷媒を圧縮機、凝縮器、膨張機構、蒸発器の順で循環させるヒートポンプ装置であって、
凝縮器が、冷媒を給湯用熱媒と熱交換させる給湯熱交換器と、給湯熱交換器より下流で冷媒を暖房用熱媒と熱交換させる暖房熱交換器を備えている、ヒートポンプ装置。
【請求項２】
凝縮器が、給湯熱交換器をバイパスするバイパス経路と、バイパス経路に設けられたバイパス弁をさらに備える、請求項１のヒートポンプ装置。
【請求項３】
請求項１または２のヒートポンプ装置を備える給湯暖房装置。
【発明の詳細な説明】
【技術分野】
【０００１】
本発明は、ヒートポンプ装置および給湯暖房装置に関する。
【背景技術】
【０００２】
特許文献１に、圧縮機と、凝縮器と、膨張機構と、蒸発器を備えており、冷媒を圧縮機、凝縮器、膨張機構、蒸発器の順で循環させるヒートポンプ装置が開示されている。このヒートポンプ装置では、凝縮器が、冷媒を給湯用熱媒および暖房用熱媒と熱交換させる三流体熱交換器を備えている。
【先行技術文献】
【特許文献】
【０００３】
【特許文献１】特開２００９−２４３７４７号公報
【発明の概要】
【発明が解決しようとする課題】
【０００４】
三流体熱交換器は構造が複雑になりやすく、従来から使用されている二流体熱交換器に比べて、設計や製造に困難を伴う。そこで、冷媒を給湯用熱媒と熱交換させる給湯熱交換器と、冷媒を暖房用熱媒と熱交換させる暖房熱交換器を、別個の二流体熱交換器として配置するための検討が進められている。
【０００５】
仮に、凝縮器として給湯熱交換器と暖房熱交換器を並列に接続する場合、それぞれの熱交換器に流入する冷媒は同じ温度および圧力であるが、それぞれの熱交換器から流出する冷媒は異なる温度および圧力となる。このため、蒸発器に送られる冷媒を適切に膨張させるためには、給湯熱交換器と暖房熱交換器の下流側に、別個の膨張機構をそれぞれ設ける必要がある。より簡素な構成で、給湯熱交換器と暖房熱交換器の双方を凝縮器として利用可能なヒートポンプ装置が期待されている。
【０００６】
本明細書は、上記の課題を解決する技術を提供する。本明細書では、別個の膨張機構を用いることなく、給湯熱交換器と暖房熱交換器の双方を凝縮器として利用可能なヒートポンプ装置を提供する。
【課題を解決するための手段】
【０００７】
本明細書は、圧縮機と、凝縮器と、膨張機構と、蒸発器を備えており、冷媒を圧縮機、凝縮器、膨張機構、蒸発器の順で循環させるヒートポンプ装置を開示する。そのヒートポンプ装置では、凝縮器が、冷媒を給湯用熱媒と熱交換させる給湯熱交換器と、給湯熱交換器より下流で冷媒を暖房用熱媒と熱交換させる暖房熱交換器を備えている。
【０００８】
上記のヒートポンプ装置では、凝縮器において、給湯熱交換器と暖房熱交換器が直列に接続されている。このため、暖房熱交換器の下流に設けられた単独の膨張機構により、蒸発器に送られる冷媒を適切に膨張させることができる。別個の膨張機構を用いることなく、給湯熱交換器と暖房熱交換器の双方を凝縮器として利用することができる。
【０００９】
また、上記のヒートポンプ装置によれば、給湯熱交換器が暖房熱交換器よりも上流に配置されているため、給湯熱交換器には圧縮機から送り出された高温高圧の冷媒が流入する。これにより、給湯熱交換器における給湯用熱媒の加熱効率を向上することができる。一般に、暖房熱交換器での暖房用熱媒の加熱は冬季のみ行われるのに対し、給湯熱交換器での給湯用熱媒の加熱は一年を通して行われる。従って、給湯熱交換器における給湯用水の加熱効率を向上することで、長期的な観点で見たエネルギー効率を向上することができる。
【００１０】
上記のヒートポンプ装置は、凝縮器が、給湯熱交換器をバイパスするバイパス経路と、バイパス経路に設けられたバイパス弁をさらに備えるように構成することができる。
【００１１】
一般に、給湯熱交換器では、給湯用熱媒の昇温幅を大きくするため、冷媒の凝縮に伴う潜熱だけではなく、冷媒の温度低下に伴う顕熱も給湯用熱媒へ移動させる。このため、給湯熱交換器において冷媒と給湯用熱媒が流れる流路の長さは長いものとなる。従って、給湯熱交換器の下流側に暖房熱交換器が接続されている構成では、給湯熱交換器で給湯用熱媒との熱交換を行わず、暖房熱交換器で暖房用熱媒との熱交換を行う場合であっても、冷媒が給湯熱交換器を通過する際の圧損によって、暖房熱交換器に流入する冷媒の温度および圧力が低下してしまう。上記のヒートポンプ装置では、給湯熱交換器で給湯用熱媒との熱交換を行わず、暖房熱交換器で暖房用熱媒との熱交換を行う場合に、バイパス弁を開いて圧縮機からの冷媒をバイパス経路に流すことで、高温高圧の冷媒を暖房熱交換器に流入させることができる。暖房熱交換器での暖房用熱媒の加熱効率を向上することができる。
【００１２】
また、上記のヒートポンプ装置によれば、凍結防止のために給湯熱交換器に給湯用熱媒が循環している状態で、暖房熱交換器による暖房用熱媒の加熱を行う場合に、バイパス弁を開いて圧縮機からの冷媒をバイパス経路に流すことで、給湯用熱媒に冷媒の熱が奪われることを防いで、暖房熱交換器へ高温高圧の冷媒を流入させることができる。凍結防止のために給湯熱交換器に給湯用熱媒が循環している場合でも、暖房熱交換器での暖房用熱媒の加熱効率が低下することを防ぐことができる。
【００１３】
本明細書は、上記のヒートポンプ装置を備える給湯暖房装置も開示する。
【発明の効果】
【００１４】
本明細書が開示するヒートポンプ装置および給湯暖房装置によれば、別個の膨張機構を用いることなく、給湯熱交換器と暖房熱交換器の双方を凝縮器として利用することができる。
【図面の簡単な説明】
【００１５】
【図１】実施例の給湯暖房装置２およびヒートポンプ装置５０の構成を模式的に示す図である。
【図２】実施例の給湯暖房装置２およびヒートポンプ装置５０の別の構成を模式的に示す図である。
【発明を実施するための形態】
【００１６】
（実施例）
図１は、本実施例の給湯暖房装置２を示している。給湯暖房装置２は、タンクユニット４と、ヒートポンプユニット６と、熱源機ユニット８と、制御装置１００を備えている。
【００１７】
ヒートポンプユニット６は、ヒートポンプ装置５０と、給湯用水循環ポンプ２２を備えている。ヒートポンプ装置５０は、冷媒（例えばＲ４１０ＡといったＨＦＣ冷媒や、ＣＯ２、イソブタン、プロパン等の自然冷媒など）を循環させるための冷媒循環路５２と、空気熱交換器５４と、ファン５６と、圧縮機６２と、給湯熱交換器５１と、暖房熱交換器５３と、膨張弁６０を備えている。ヒートポンプ装置５０では、空気熱交換器５４が蒸発器を構成しており、給湯熱交換器５１と暖房熱交換器５３が凝縮器を構成している。
【００１８】
空気熱交換器５４は、ファン５６によって送風された外気と冷媒循環路５２内の冷媒との間で熱交換させる。空気熱交換器５４には、膨張弁６０を通過後の低圧低温の液体状態にある冷媒が供給される。空気熱交換器５４は、冷媒と外気とを熱交換させることによって、冷媒を加熱する。冷媒は、加熱されることにより気化し、比較的高温で低圧の気体状態となる。
【００１９】
圧縮機６２には、空気熱交換器５４を通過後の冷媒が供給される。即ち、圧縮機６２には、比較的高温で低圧の気体状態の冷媒が供給される。圧縮機６２によって冷媒が圧縮されることにより、冷媒は高温高圧の気体状態となる。圧縮機６２は、圧縮後の高温高圧の気体状態の冷媒を、給湯熱交換器５１に送り出す。
【００２０】
給湯熱交換器５１には、圧縮機６２から送り出された高温高圧の気体状態の冷媒が供給される。給湯熱交換器５１は、冷媒循環路５２内の冷媒と、後述のタンク水循環路２０内の水（以下では給湯用水ともいう）との間で熱交換を行う。給湯熱交換器５１を通過した冷媒は、暖房熱交換器５３へ送られる。暖房熱交換器５３は、給湯熱交換器５１からの冷媒と、後述の第２暖房加熱路８４からの水（以下では暖房用水ともいう）との間で熱交換を行う。冷媒は、給湯熱交換器５１および／または暖房熱交換器５３での熱交換の結果、熱を奪われて凝縮する。これにより、冷媒は、比較的低温で高圧の液体状態となる。
【００２１】
膨張弁６０には、暖房熱交換器５３を通過後の比較的低温で高圧の液体状態の冷媒が供給される。冷媒は、膨張弁６０を通過することによって減圧され、低温低圧の液体状態となる。膨張弁６０を通過した冷媒は、上記の通り、空気熱交換器５４に送られる。
【００２２】
ヒートポンプ装置５０において、圧縮機６２を作動させると、冷媒循環路５２内の冷媒は、圧縮機６２、給湯熱交換器５１、暖房熱交換器５３、膨張弁６０、空気熱交換器５４の順に循環する。これによって、給湯熱交換器５１においてタンク水循環路２０内の給湯用水が加熱され、および／または、暖房熱交換器５３において第２暖房加熱路８４からの暖房用水が加熱される。
【００２３】
タンクユニット４は、タンク１０を備えている。タンク１０は、ヒートポンプ装置５０によって加熱された給湯用水を貯える。本実施例の給湯用水は、水道水である。タンク１０は、密閉型であり、断熱材によって外側が覆われている。タンク１０内には満水まで給湯用水が貯留される。
【００２４】
タンク水循環路２０は、上流端がタンク１０の下部に接続されており、ヒートポンプユニット６の給湯熱交換器５１を通過して、下流端がタンク１０の上部に接続されている。タンク水循環路２０には、ヒートポンプユニット６の給湯用水循環ポンプ２２が介装されている。ヒートポンプユニット６において、ヒートポンプ装置５０を作動させて、給湯用水循環ポンプ２２を駆動すると、タンク１０の下部の給湯用水が給湯熱交換器５１に送られて加熱され、加熱された給湯用水がタンク１０の上部に戻される。タンク１０の内部には、低温の給湯用水の層の上に高温の給湯用水の層が積み重なった温度成層が形成される。
【００２５】
水道水導入路２４は、上流端が給湯暖房装置２の外部の水道水供給源３２に接続されている。水道水導入路２４の下流側は、第１導入路２４ａと第２導入路２４ｂに分岐している。第１導入路２４ａの下流端は、タンク１０の下部に接続されている。第２導入路２４ｂの下流端は、第１給湯路３６の途中に接続されている。
【００２６】
第１給湯路３６は、上流端がタンク１０の上部に接続されている。上述したように、第１給湯路３６の途中には、水道水導入路２４の第２導入路２４ｂが接続されている。第１給湯路３６と第２導入路２４ｂの接続部には、混合弁３０が介装されている。混合弁３０は、タンク１０の上部から第１給湯路３６へ流入する高温の給湯用水の流量と、第２導入路２４ｂから第１給湯路３６へ流入する低温の水道水の流量の割合を調整する。第２導入路２４ｂとの接続部より下流側の第１給湯路３６は、熱源機ユニット８の給湯加熱路３７を通過して、第２給湯路３９へ接続している。第１給湯路３６と第２給湯路３９の間は、熱源機バイパス路３３によって接続されている。熱源機バイパス路３３にはバイパス弁３４が介装されている。第２給湯路３９の下流端は給湯栓３８に接続されている。
【００２７】
熱源機ユニット８は、シスターン７０と、暖房用バーナ８２と、給湯用バーナ８１を備えている。シスターン７０は、上部が開放されている容器であり、内部に暖房用水を貯留している。本実施例の暖房用水は例えば水道水または不凍液である。シスターン７０には、暖房往路７２の上流端が接続されている。暖房往路７２には、暖房用水循環ポンプ７４が介装されている。暖房用水循環ポンプ７４を駆動すると、シスターン７０内の暖房用水が暖房往路７２に流れ込む。
【００２８】
暖房往路７２の下流端は、第１暖房加熱路７３と、低温暖房循環路７５に分岐している。低温暖房循環路７５には、低温暖房機７８が取り付けられる。本実施例の低温暖房機７８は、例えば床暖房機である。低温暖房機７８は、供給される暖房用水の熱を利用して暖房する。第１暖房加熱路７３には、暖房用バーナ８２が介装されている。暖房用バーナ８２は、第１暖房加熱路７３内の暖房用水を加熱する。第１暖房加熱路７３の下流端は、高温暖房循環路７７と追い焚き循環路７９に分岐している。高温暖房循環路７７には、高温暖房機７６が取り付けられる。本実施例の高温暖房機７６は、例えば浴室暖房乾燥機である。高温暖房機７６は、供給される暖房用水の熱を利用して暖房する。低温暖房循環路７５と高温暖房循環路７７は、それぞれの下流端で合流して、第２暖房加熱路８４の上流端へ接続している。
【００２９】
第２暖房加熱路８４の下流端は、ヒートポンプユニット６の暖房熱交換器５３を通過して、暖房復路９６に接続している。暖房復路９６は、下流端が熱源機ユニット８のシスターン７０に接続している。
【００３０】
追い焚き循環路７９には、追い焚き熱動弁８３と、追い焚き熱交換器９７が介装されている。追い焚き熱動弁８３は、追い焚き循環路７９を開閉する。追い焚き熱交換器９７では、追い焚き循環路７９を流れる暖房用水と、浴槽水循環路９１を流れる浴槽水の間で熱交換が行われる。追い焚き循環路７９の下流端は、暖房復路９６に接続している。
【００３１】
浴槽水循環路９１の上流端は、浴槽９８の底部に接続している。浴槽水循環路９１の下流端は、浴槽９８の側部に接続している。浴槽水循環路９１には、浴槽水循環ポンプ９９が介装されている。浴槽水循環ポンプ９９が駆動すると、浴槽９８の底部から吸い出された浴槽水が、追い焚き熱交換器９７を通過して、浴槽９８の側部へ戻される。
【００３２】
給湯加熱路３７には、給湯用バーナ８１が介装されている。給湯加熱路３７の給湯用バーナ８１よりも下流側から、浴槽注湯路４０が分岐している。浴槽注湯路４０には、浴槽注湯路４０を開閉する注湯電磁弁４２が介装されている。浴槽注湯路４０の下流端は、浴槽水循環ポンプ９９に接続している。
【００３３】
制御装置１００は、タンクユニット４、ヒートポンプユニット６、熱源機ユニット８の各構成要素の動作を制御する。
【００３４】
給湯暖房装置２は、以下のように、蓄熱運転、給湯運転、暖房運転、湯はり運転、追い焚き運転、凍結防止運転等を実施することができる。
【００３５】
（蓄熱運転）
蓄熱運転では、タンク１０内の給湯用水をヒートポンプ装置５０で加熱し、高温となった給湯用水をタンク１０に戻す。蓄熱運転を実行する際には、制御装置１００は圧縮機６２およびファン５６を駆動してヒートポンプ装置５０を作動させるとともに、給湯用水循環ポンプ２２を駆動する。
【００３６】
圧縮機６２の駆動により、冷媒循環路５２内の冷媒は、圧縮機６２、給湯熱交換器５１、暖房熱交換器５３、膨張弁６０、空気熱交換器５４の順に循環する。この場合、給湯熱交換器５１を通過する冷媒循環路５２内の冷媒は、高温高圧の気体状態である。また、給湯用水循環ポンプ２２の駆動により、タンク水循環路２０内をタンク１０内の給湯用水が循環する。即ち、タンク１０の下部に存在する給湯用水がタンク水循環路２０内に導入され、導入された給湯用水が給湯熱交換器５１を通過する際に、冷媒循環路５２内の冷媒の熱によって加熱され、加熱された給湯用水がタンク１０の上部に戻される。これにより、タンク１０に高温の給湯用水が貯められる。タンク１０の内部が高温の給湯用水で満たされた満蓄状態となると、蓄熱運転を終了する。
【００３７】
（給湯運転）
給湯運転は、タンク１０内の給湯用水を給湯栓３８に供給する運転である。給湯運転は、上記の蓄熱運転と並行して行うこともできる。給湯栓３８が開かれると、水道水供給源３２からの水圧によって、水道水導入路２４（第１導入路２４ａ）からタンク１０の下部に水道水が流入する。同時に、タンク１０上部の給湯用水が、第１給湯路３６を介して給湯栓３８に供給される。
【００３８】
制御装置１００は、タンク１０から第１給湯路３６に供給される給湯用水の温度が、給湯設定温度より高い場合には、混合弁３０を駆動して第２導入路２４ｂから第１給湯路３６に水道水を導入する。従って、タンク１０から供給された給湯用水と第２導入路２４ｂから供給された水道水とが、第１給湯路３６内で混合される。制御装置１００は、給湯栓３８に供給される給湯用水の温度が、給湯設定温度と一致するように、混合弁３０の開度を調整する。一方、制御装置１００は、タンク１０から第１給湯路３６に供給される給湯用水の温度が、給湯設定温度より低い場合には、給湯用バーナ８１によって第１給湯路３６を通過する水を加熱する。制御装置１００は、給湯栓３８に供給される給湯用水の温度が、給湯設定温度と一致するように、給湯用バーナ８１の出力を制御する。
【００３９】
（暖房運転）
暖房運転は、ヒートポンプ装置５０によって暖房用水を加熱し、高温となった暖房用水を用いて低温暖房機７８や高温暖房機７６によって暖房する運転である。利用者によって暖房運転の実行が指示されると、制御装置１００は、暖房用水循環ポンプ７４を回転させる。さらに、制御装置１００は、圧縮機６２およびファン５６を駆動する。
【００４０】
圧縮機６２の駆動により、冷媒循環路５２内の冷媒は、圧縮機６２、給湯熱交換器５１、暖房熱交換器５３、膨張弁６０、空気熱交換器５４の順に循環する。この場合、暖房熱交換器５３を通過する冷媒循環路５２内の冷媒は、高温高圧の気体状態である。また、暖房用水循環ポンプ７４の駆動により、第２暖房加熱路８４をシスターン７０内の暖房用水が循環する。第２暖房加熱路８４を循環する暖房用水は、暖房熱交換器５３を通過する際に、冷媒循環路５２内の冷媒の熱によって加熱される。暖房熱交換器５３で加熱された暖房用水は、シスターン７０を経て、低温暖房機７８や高温暖房機７６に供給される。さらに、制御装置１００は、必要に応じて暖房用バーナ８２を作動する。これにより、高温暖房機７６には、暖房用バーナ８２での加熱によってさらに高温となった暖房用水が供給される。暖房運転においては、低温暖房機７８に供給される暖房用水の温度が低温暖房設定温度となるように、また高温暖房機７６に供給される暖房用水の温度が高温暖房設定温度となるように、ヒートポンプ装置５０の動作や、暖房用バーナ８２の出力が調整される。
【００４１】
（湯はり運転）
湯はり運転は浴槽９８に湯はりをする運転である。利用者が湯はり運転の開始を指示すると、給湯暖房装置２は湯はり運転を開始する。湯はり運転においては、注湯電磁弁４２を開く。注湯電磁弁４２が開くと、水道水供給源３２からの水圧によって、水道水導入路２４（第１導入路２４ａ）からタンク１０の下部に水道水が流入する。同時に、タンク１０上部の給湯用水が、第１給湯路３６、浴槽注湯路４０、浴槽水循環路９１を介して浴槽９８に供給される。湯はり運転においては、給湯運転と同様にして、浴槽注湯路４０に供給される水の温度を湯はり設定温度に調整する。浴槽９８に供給される水の水量が湯はり設定水量に達すると、湯はり運転を終了する。
【００４２】
（追い焚き運転）
追い焚き運転は、浴槽９８に貯められた浴槽水を追い焚きする運転である。利用者が追い焚き運転の開始を指示すると、給湯暖房装置２は追い焚き運転を開始する。追い焚き運転においては、浴槽水循環ポンプ９９を駆動する。また、追い焚き熱動弁８３を開いて、暖房用水循環ポンプ７４を駆動する。これにより、浴槽９８の底部から浴槽水が吸い出されて、追い焚き熱交換器９７で暖房用水との熱交換によって加熱される。加熱された浴槽水は、浴槽９８の側部へ戻される。追い焚き運転においては、暖房用バーナ８２による暖房用水の加熱が行われる。
【００４３】
（凍結防止運転）
凍結防止運転は、給湯熱交換器５１およびタンク水循環路２０内の給湯用水や、暖房熱交換器５３、第２暖房加熱路８４および暖房復路９６内の暖房用水が、凍結してしまうことを防止する運転である。給湯熱交換器５１やタンク水循環路２０の一部は、屋外に配置されているため、外気温度が低い状態で内部に給湯用水が長時間滞留していると、給湯用水が凍結してしまうおそれがある。そこで、給湯用水が凍結するおそれがある場合に、給湯暖房装置２は、給湯用水循環ポンプ２２を駆動する。これにより、給湯熱交換器５１およびタンク水循環路２０の内部の給湯用水がタンク１０からの給湯用水で置き換えられて、給湯用水が長時間の滞留によって凍結してしまうことを防ぐことができる。同様に、暖房熱交換器５３や、第２暖房加熱路８４および暖房復路９６の一部は、屋外に配置されているため、外気温度が低い状態で内部に暖房用水が長時間滞留していると、暖房用水が凍結してしまうおそれがある。そこで、暖房用水が凍結するおそれがある場合に、給湯暖房装置２は、暖房用水循環ポンプ７４を駆動する。これにより、暖房熱交換器５３、第２暖房加熱路８４および暖房復路９６の内部の暖房用水がシスターン７０からの暖房用水で置き換えられて、暖房用水が長時間の滞留によって凍結してしまうことを防ぐことができる。
【００４４】
以上のように、本実施例のヒートポンプ装置５０では、冷媒を給湯用水と熱交換させる給湯熱交換器５１と、冷媒を暖房用水と熱交換させる暖房熱交換器５３の双方を、凝縮器として利用することができる。本実施例のヒートポンプ装置５０では、給湯熱交換器５１と暖房熱交換器５３が直列に接続されている。このため、暖房熱交換器５３の下流に設けられた単独の膨張弁６０により、空気熱交換器５４に送られる冷媒を適切に膨張させることができる。
【００４５】
また、本実施例のヒートポンプ装置５０によれば、給湯熱交換器５１が暖房熱交換器５３よりも上流に配置されているため、給湯熱交換器５１には圧縮機６２から送り出された高温高圧の冷媒が流入する。これにより、給湯熱交換器５１における給湯用水の加熱効率を向上することができる。一般に、暖房熱交換器５３での暖房用水の加熱は冬季のみ行われるのに対し、給湯熱交換器５１での給湯用水の加熱は一年を通して行われる。従って、給湯熱交換器５１における給湯用水の加熱効率を向上することで、長期的な観点で見たエネルギー効率を向上することができる。
【００４６】
なお、図２に示すように、ヒートポンプ装置５０は、冷媒が給湯熱交換器５１をバイパスするバイパス経路５８と、バイパス経路５８に設けられたバイパス弁５５を備えていてもよい。一般に、給湯熱交換器５１では、低温の水道水を給湯に適した温度まで加熱する必要があるため、給湯用水の昇温幅を大きくするために、冷媒の凝縮に伴う潜熱だけではなく、冷媒の温度低下に伴う顕熱も給湯用水へ移動させる。このため、給湯熱交換器５１において冷媒と給湯用水が流れる流路の長さは長いものとなる。従って、図１に示すように、給湯熱交換器５１の下流側に暖房熱交換器５３が直列に接続されている構成では、給湯熱交換器５１で給湯用水との熱交換を行わず、暖房熱交換器５３で暖房用水との熱交換を行う場合であっても、冷媒が給湯熱交換器５１を通過する際の圧損によって、暖房熱交換器５３に流入する冷媒の温度および圧力が低下してしまう。図２に示すヒートポンプ装置５０では、給湯熱交換器５１で給湯用水との熱交換を行わず、暖房熱交換器５３で暖房用水との熱交換を行う場合に、バイパス弁５５を開いて圧縮機６２からの冷媒をバイパス経路５８に流すことで、高温高圧の冷媒を暖房熱交換器５３に流入させることができる。暖房熱交換器５３での暖房用水の加熱効率を向上することができる。
【００４７】
また、図２に示すヒートポンプ装置５０によれば、給湯用水の凍結防止運転と暖房運転が同時に行われる場合に、バイパス弁５５を開いて圧縮機６２からの冷媒をバイパス経路５８に流すことで、凍結防止のために給湯熱交換器５１を循環する給湯用水に冷媒の熱が奪われることを防いで、暖房熱交換器５３へ高温高圧の冷媒を流入させることができる。給湯用水の凍結防止運転と暖房運転が同時に行われる場合でも、暖房熱交換器５３における暖房用水の加熱効率が低下することを防ぐことができる。
【００４８】
以上、本発明の実施例について詳細に説明したが、これらは例示に過ぎず、特許請求の範囲を限定するものではない。特許請求の範囲に記載の技術には、以上に例示した具体例を様々に変形、変更したものが含まれる。
【００４９】
本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００５０】
２  給湯暖房装置
４  タンクユニット
６  ヒートポンプユニット
８  熱源機ユニット
１０  タンク
２０  タンク水循環路
２２  給湯用水循環ポンプ
２４  水道水導入路
２４ａ  第１導入路
２４ｂ  第２導入路
３０  混合弁
３２  水道水供給源
３３  熱源機バイパス路
３４  バイパス弁
３６  第１給湯路
３７  給湯加熱路
３８  給湯栓
３９  第２給湯路
４０  浴槽注湯路
４２  注湯電磁弁
５０  ヒートポンプ装置
５１  給湯熱交換器
５２  冷媒循環路
５３  暖房熱交換器
５４  空気熱交換器
５５  バイパス弁
５６  ファン
５８  バイパス経路
６０  膨張弁
６２  圧縮機
７０  シスターン
７２  暖房往路
７３  第１暖房加熱路
７４  暖房用水循環ポンプ
７５  低温暖房循環路
７６  高温暖房機
７７  高温暖房循環路
７８  低温暖房機
７９  追い焚き循環路
８１  給湯用バーナ
８２  暖房用バーナ
８３  追い焚き熱動弁
８４  第２暖房加熱路
９１  浴槽水循環路
９６  暖房復路
９７  追い焚き熱交換器
９８  浴槽
９９  浴槽水循環ポンプ
１００  制御装置
【図１】
2015068577.tif 000003
【図２】
2015068577.tif 000004